(57)【要約】【課題】収集対象物を挟んだこの種のトレーディングカードの収集の際の射倖性をより高め、この種のトレーディングカードがより多く売れるようにする。【解決手段】収集対象物の断片であるコレクション片と、該コレクション片を挟む一対のシート片とを備え、該一対のシート片のいずれか一方には窓部が設けられ、該コレクション片は該窓部の位置と重なっており、該コレクション片の外周部分は該窓部の回りの部分と他方のシート片によって挟持され、該一対のシート片の表面には収集対象物の図形が区画表示され、該区画表示には数字又は符号が付され、該一対のシート片には該コレクション片の対応区画の数字又は符号が表示されている。該窓部は該コレクション片が見える状態のままでもよいが、蓋片によって着脱可能に被覆しておいてもよい。【選択図】図１
0003166998.tif 000002
【実用新案登録請求の範囲】
【請求項１】
収集対象物の断片であるコレクション片と、該コレクション片を挟む一対のシート片とを備え、該一対のシート片のいずれか一方には窓部が設けられ、該コレクション片は該窓部の位置と重なっており、該コレクション片の外周部分は該窓部の回りの部分と他方のシート片によって挟持され、該一対のシート片の表面には収集対象物の図形が区画表示され、該区画表示には数字又は符号が付され、該一対のシート片には該コレクション片の対応区画の数字又は符号が表示されていることを特徴とするトレーディングカード。
【請求項２】
前記窓部が蓋片によって着脱可能に被覆されていることを特徴とする請求項１に記載のトレーディングカード。
【請求項３】
表面に収集対象物を身に付けている人の写真が印刷され、裏面に収集対象物の図形が区画表示され、各区画に数字又は記号が付され、挟まれている前記コレクション片の対応区画の数字又は記号が表面及び／又は裏面に表示されていることを特徴とする請求項１又は２に記載のトレーディングカード。
【請求項４】
前記一対のシート片の間に中間シート片が積層され、該中間シート片には収容穴が設けられ、該収容穴には前記コレクション片が収容されていることを特徴とする請求項１〜３のいずれか１項に記載のトレーディングカード。
【考案の詳細な説明】
【技術分野】
【０００１】
本考案は、コレクターが収集したくなる収集対象物の断片（コレクション片）が挟まれているトレーディングカードに関するものである。
【背景技術】
【０００２】
この種のトレーディングカードとしては、例えば、実用新案登録第３０５９４７３号公報で提案されているようなものが知られている。このトレーディングカードＰは、図４に示すように、表層部１０１と収納層部１０２と裏層部１０３とをこの順に積層したものからなり、表層部１０１の表面にはブロマイドが印刷された表示部Ｐ１が形成され、裏層部１０３の表面にはブロマイドのデータが印刷されたデータ部Ｐ２が形成されている。
【０００３】
収納層部１０２には収納孔１０２Ａが設けられ、収納孔１０２Ａには収納部材Ｑが収納され、収納部材Ｑは表層部１０１と裏層部１０３によって接着・固定されている。表層部１０１の収納孔１０２Ａに対応した位置には窓孔１０１Ａが開穿され、裏層部１０３の収納孔１０２Ａに対応した位置には窓孔１０３Ａが開穿され、収納部材Ｑは窓孔１０２Ａ，１０３Ａを通して見えるようになっている。
【０００４】
このトレーディングカードＰは、収納部材Ｑにより、従来のトレーディングカードの構成と違う構成が明かになり、カードコレクターにとっては一目で付加価値の高いカードであることがわかるものになった。また、選手等のファンにとっては直筆サイン以上に存在感が得られる。
【０００５】
しかも、このトレーディングカードＰは、収納部材Ｑは、表層部１０１と裏層部１０３とに挟まれた収納層部１０２の収納孔１０２Ａに収納固定されているから、収納部材Ｑの収納部分を膨らませることなく、カードＰの厚みを、従来のカードと同じように一定にすることができる。
【０００６】
また、上記のトレーディングカードを改良したトレーディングカードとして、実用新案登録第３０５９４７３号公報で提案されているようなものが知られている。
【０００７】
このトレーディングカードは、図５に示すように、表層部材２０１と裏層部材２０２が、それらの対向位置に形成した窓孔２０１’，２０２’の回りの部分に被挟持薄層物２０３の外周部分を挟持して、たがいの内面を接着剤により接着し、被挟持薄層物２０３を窓孔２０１’，２０２’に張架した状態で緊密に一体化し、かつ、上記表層部材２０１と裏層部材２０２のうちの一方または双方の外面に透明合成樹脂フィルム２０５を被着している。
【０００８】
表層部材２０１の外面には、各種の図形，模様，文字あるいは記号もしくはこれらの結合またはこれらと色彩との結合により、キャラクター等の主たる図柄，その関連図柄，関連情報，地模様等を印刷表示している。また、裏層部材２０２の外面には、同じく、各種の図形，模様，文字あるいは記号もしくはこれらの結合またはこれらと色彩との結合により、表層部材２０１の外面の上記印刷表示と関連しまたは格別関連しない適宜の表示を印刷している。
【０００９】
被挟持薄層物２０３としては、表層部材２０１の外面の上記印刷表示、特に主たる図柄として表したキャラクターが、直接着用または使用した被服，小物等の切れ端、あるいはまた、そのキャラクターが実際に作成した作品の切れ端等である。表層部材２０１と裏層部材２０２は、窓孔２０１’，２０２’の回りの部分に被挟持薄層物２０３の外周部分を挟持して、たがいの内面を接着剤により接着し、被挟持薄層物２０３を窓孔２０１’，２０２’に張架した状態で緊密に一体化している。
【００１０】
透明合成樹脂フィルム２０５によって、裏層部材２０２の外面に印刷した表示を保護するとともに、本考案トレーディングカード全体を強靱なものにしている。透明合成樹脂フィルム２０５は、上記のように裏層部材２０２に限らず、表層部材２０１の外面、あるいは表層部材２０１と裏層部材２０２の双方の外面に被着することにしてもよい。
【００１１】
表層部材２０１、裏層部材２０２および透明合成樹脂フィルム２０５は、それぞれが薄層でかつ接着剤で密着しているので、全体として恰も１枚物のの如く看取され、また、表層部材２０１，裏層部材２０２の窓孔２０１’，２０２’の回りの部分に外周部分を挟持されて、その窓孔２０１’，２０２’に張架している挟持薄層物２０３は、上記１枚物の肉厚内に挿入されているかのように錯覚する程をなしている。
【００１２】
このトレーディングカードは、表層部材と裏層部材が、それらの窓孔の回りの部分に被挟持薄層物の外周部分を挟持して、たがいの内面を接着剤により接着し、上記被挟持薄層物を上記窓孔に張架した状態で緊密に一体化しているので、被挟持薄層物がしっかりと固定されて、品質が良く、カードとして必要にして十分な強度を保有し、また、被挟持薄層物を、表層部材の窓孔と裏層部材の窓孔の任意の方から見るのはもちろん触ったりもできる。
【００１３】
また、このトレーディングカードは、公知のトレーディングカードのように中間収納層部材を必要としない分だけ薄肉にすることができ、取扱いに至便であるとともに、収納孔付きの中間収納層部材を別途作成する必要がなく、製造が容易である。
【００１４】
また、このトレーディングカードは、表層部材と裏層部材のうちの一方または双方の外面に透明合成樹脂フィルムを被着することにより、印刷表示を保護するとともに、本考案トレーディングカード全体を強靱なものにできる。この場合、被挟持薄層物を見ることは、表層部材側からも裏層部材側からもできるが、直接触ることができるのは、透明合成樹脂フィルムを被着していない表層部材側または裏層部材側からだけになる。
【先行技術文献】
【特許文献】
【００１５】
【特許文献１】実用新案登録第３０５９４７３号公報
【特許文献２】実用新案登録第３０７４３８９号公報
【考案の概要】
【考案が解決しようとする課題】
【００１６】
本考案が解決しようとする課題は、この種のトレーディングカードの収集の際の射倖性をより高め、この種のトレーディングカードがより多く売れるようにする点にある。
【課題を解決するための手段】
【００１７】
本考案は、収集対象物の断片であるコレクション片と、そのコレクション片の元の場所との対応関係をトレーディングカードに表示し、コレクターがトレーディングカードを入手した場合、入手した該コレクション片が収集対象物のどこの部分かを判別できるようにしたことを最も主要な特徴とする。
【００１８】
すなわち、本考案に係るトレーディングカードは、収集対象物の断片であるコレクション片と、該コレクション片を挟む一対のシート片とからなり、該一対のシート片のいずれか一方には窓部が設けられ、該コレクション片は該窓部の位置と重なっており、該コレクション片の外周部分は該窓部の回りの部分と他方のシート片によって挟持されていることを基本構成としている。
【００１９】
そして、該一対のシート片の表面には収集対象物の図形が区画表示され、該区画表示には数字又は符号が付され、該一対のシート片には該コレクション片の対応区画の数字又は符号が表示されていることを特徴とする。
【００２０】
ここで、前記一対のシート片はカードサイズの大きさのものからなる。該一対のシート片は粘着剤又は接着剤によって積層一体化されている。該窓部は該コレクション片が見える状態のままでもよいが、蓋片によって着脱可能に被覆しておいてもよい。トレーディングカードの表面には収集対象物を身に付けている人の写真が印刷されているのが好ましい。
【００２１】
また、前記収集対象物としては、例えばユニフォーム、ドレス、ダンスウェア、コスチュームその他の衣装、ブラジャー、アンダーショーツその他のランジェリー、ビキニその他の水着、ストッキングなどを挙げることができるが、これらに限るものではなく、一対のシート片の間に挟むことができるものであれば如何なるものでもよい。
【００２２】
また、収集対象物のコレクション片が厚手のものの場合は、一対のシート片の間に該コレクション片と同程度の厚さの中間シート片を設け、中間シート片に収容穴を設け、ここにコレクション片を収容するようにしてもよい。収容穴は窓部より一回り大きく形成されているのが好ましい。
【考案の効果】
【００２３】
本考案のトレーディングカードは、収集対象物の部分とコレクション片との対応関係がわかるように表示されていて、トレーディングカードを入手した場合に所望の部分のコレクション片が取得できたか否かを判別することができるので、所望の部分のコレクション片が取得することができるかもしれないと考えて、コレクターの収集意欲が高められ、トレーディングカードがより良く売れるという利点がある。
【００２４】
また、本考案のトレーディングカードは、収集対象物の部分とコレクション片との対応関係がわかるように表示されていて、トレーディングカードを入手した場合に所望の部分のコレクション片が取得できたか否かを判別することができるので、コレクターが対象物の所望の部分のコレクション片を備えたトレーディングカードが取得できなかった場合、次は所望の部分のコレクション片を備えたトレーディングカードが取得できるかもしれないと考え、同じトレーディングカードを再度購入したくなるので、このトレーディングカードがより多く売れるという利点がある。
【００２５】
また、本考案のトレーディングカードは、収集対象物の部分とコレクション片との対応関係がわかるように表示されていて、トレーディングカードを入手した場合に所望の部分のコレクション片が取得できたか否かを判別することができるので、コレクターが収集対象物の所望の部分のコレクション片を備えたトレーディングカードを取得した場合、コレクターの満足感がより満たされるという利点がある。
【図面の簡単な説明】
【００２６】
【図１】図１は本考案に係るトレーディングカードの一例を示す説明図である。
【図２】図２は本考案に係るトレーディングカードの表裏面を示す説明図である。
【図３】図３は本考案に係るトレーディングカードの他の例を示す断面図である。
【図４】図４は従来のトレーディングカードの一例を示す説明図である。
【図５】図５は従来のトレーディングカードの他の例を示す説明図である。
【考案を実施するための形態】
【００２７】
収集対象物のコレクション片を挟んだトレーディングカードがより多く売れるようにするという目的を、簡単な構成で、トレーディングカードに対するコレクターの収集意欲を損なうことなく実現した。
【実施例１】
【００２８】
図１は本考案に係るトレーディングカードの一例を示す説明図、図２は本考案に係るトレーディングカードの表裏面を示す説明図である。これらの図において、１０は本考案に係るトレーディングカードであり、トレーディングカード１０は、収集対象物のコレクション片１２と、コレクション片１２を挟む一対のシート片１４，１６とからなる。一対のシート片１４，１６はカードサイズの大きさのものからなり、粘着剤又は接着剤によって積層一体化されている。
【００２９】
トレーディングカード１０の表側を構成しているシート片１４には円形の窓部１８が設けられ、コレクション片１２は窓部１８の位置と重なる位置に存在し、コレクション片１２の外周部分は窓部１８の回りの部分と他方のシート片１６とによって挟持されている。窓部１８には窓部１８と同じ大きさの円形の蓋片２０が取り外し可能に嵌合しており、窓部１８から蓋片２０を取り外せば、コレクション片１２が窓部１８を通して見えるようになっている。
【００３０】
トレーディングカード１０の表面、すなわちシート片１４の表面には、図２（ａ）に示すように、収集対象物を身に付けている人の写真Ｆが印刷され、トレーディングカード１０の裏面、すなわちシート片１６の表面には、図２（ｂ）に示すように、収集対象物を模式的に表わす図形２２が印刷されている。図形２２は線によって区画され、各区画には数字が付されている。図２の例では、各区画には０１〜１５の数字が付されている。
【００３１】
トレーディングカード１０の表面および／又は裏面にはカード毎に異なる数字Ｎが印刷されている。図２の例では、Ｎが０１〜１５の数字となって０１／１５〜１５／１５のように印刷される。この分子の数字Ｎは一対のシート片１４，１６に挟まれているコレクション片１２の採取部位に対応する前記区画の数字を表示し、分母の数字１５は区画の数を表示している。この数字Ｎによって当該コレクション片１２が収集対象物のどこの区画のものかわかり、分母の数によってこのコレクション片が世の中に何個存在するかがわかる。
【００３２】
収集対象物としては、例えばユニフォーム、ドレス、ダンスウェア、コスチュームその他の衣装、ブラジャー、アンダーショーツその他のランジェリー、ビキニその他の水着、ストッキングなどを挙げることができるが、これらに限るものではなく、一対のシート片の間に挟むことができるものであれば如何なるものでもよい。
【実施例２】
【００３３】
図３は本考案に係るトレーディングカードの他の例を示す断面図である。この例のトレーディングカード１０は、同図に示すように、基本構成は実施例１と同じであるが、収集対象物のコレクション片１２が厚手になっていて、一対のシート片１４，１６の間にコレクション片１２と同程度の厚さの中間シート片２４が設けられ、中間シート片２４には収容穴２６が設けられ、収容穴２６にコレクション片１２が収容されている。収容穴２６は窓部１８より一回り大きく形成されている。
【符号の説明】
【００３４】
１０  トレーディングカード
１２  コレクション片
１４  シート片
１６  シート片
１８  窓部
２０  蓋片
２２  図形
２４  中間シート片
２６  収容穴
Ｆ  写真
Ｎ  数字
【図１】
0003166998.tif 000003
【図２】
0003166998.tif 000004
【図３】
0003166998.tif 000005
【図４】
0003166998.tif 000006
【図５】
0003166998.tif 000007